(57)【要約】【課題】塗着効率が高くダストの発生が少ない塗装装置及び塗装方法を提供する。【解決手段】塗料噴射通路２４及び霧化エア噴射通路２７を有するノズル２１，２１を複数備えたノズルヘッド２０と、塗料噴射通路２４に至る塗料供給系に設けられて塗料供給系の塗料の流通及び遮断を切り替える塗料切り替え弁と、霧化エア噴射通路２７に至る霧化エア供給系に設けられて霧化エア供給系の霧化エアの流通及び遮断を切り替える霧化エア切り替え弁と、を備える塗装装置１０であって、霧化エア切り替え弁が霧化エアを流通させる状態では、塗料切り替え弁が塗料の流通及び遮断を切り替え可能であり、塗料切り替え弁が塗料を流通させる状態では、霧化エア切り替え弁による霧化エアの遮断が阻止される。【選択図】図２
2014233649.tif 000002
【特許請求の範囲】
【請求項１】
塗料噴射通路及び霧化エア噴射通路を有するノズルを複数備えたノズルヘッドと、
前記塗料噴射通路に至る塗料供給系に設けられて前記塗料供給系の塗料の流通及び遮断を切り替える塗料切り替え弁と、
前記霧化エア噴射通路に至る霧化エア供給系に設けられて前記霧化エア供給系の霧化エアの流通及び遮断を切り替える霧化エア切り替え弁と、
を備え、
前記霧化エア切り替え弁が前記霧化エアを流通させる状態では、前記塗料切り替え弁が前記塗料の流通及び遮断を切り替え可能であり、
前記塗料切り替え弁が前記塗料を流通させる状態では、前記霧化エア切り替え弁による前記霧化エアの遮断が阻止されることを特徴とする塗装装置。
【請求項２】
前記塗料切り替え弁が塗料オンオフエアの供給及び遮断によって動作可能であり、
前記塗料切り替え弁に至る塗料オンオフエア供給系には、前記塗料オンオフエア供給系の前記塗料オンオフエアの流通及び遮断を切り替える塗料オンオフエア切り替え弁が設けられ、
前記霧化エア切り替え弁と前記塗料オンオフエア切り替え弁とには、操作部により押し込み可能な共通の作動部が挿入され、
前記霧化エア切り替え弁及び前記塗料オンオフエア切り替え弁が遮断された状態で前記共通の作動部を押し込むことにより、前記霧化エア切り替え弁のみが流通した状態となり、さらに前記共通の作動部を押し込むことにより、前記霧化エア切り替え弁及び前記塗料オンオフエア切り替え弁が流通した状態となることを特徴とする請求項１に記載の塗装装置。
【請求項３】
塗料噴射通路及び霧化エア噴射通路を有するノズルを複数備えたノズルヘッドと、
前記塗料噴射通路に至る塗料供給系に設けられて前記塗料供給系の塗料の流通及び遮断を切り替える塗料切り替え弁と、
前記霧化エア噴射通路に至る霧化エア供給系に設けられて前記霧化エア供給系の霧化エアの流通及び遮断を切り替える霧化エア切り替え弁と、
を備える塗装装置を用い、
前記霧化エア切り替え弁が前記霧化エアを流通させる状態では、前記塗料切り替え弁が前記塗料の流通及び遮断を切り替え可能とし、
前記塗料切り替え弁が前記塗料を流通させる状態では、前記霧化エア切り替え弁による前記霧化エアの遮断を阻止することを特徴とする塗装方法。
【請求項４】
前記塗料切り替え弁が塗料オンオフエアの供給及び遮断によって動作可能とし、
前記塗料切り替え弁に至る塗料オンオフエア供給系には、前記塗料オンオフエア供給系の前記塗料オンオフエアの流通及び遮断を切り替える塗料オンオフエア切り替え弁を設け、
前記霧化エア切り替え弁と前記塗料オンオフエア切り替え弁とには、操作部により押し込み可能な共通の作動部を挿入し、
前記霧化エア切り替え弁及び前記塗料オンオフエア切り替え弁が遮断された状態で前記共通の作動部を押し込むことにより、前記霧化エア切り替え弁のみが流通した状態とし、さらに前記共通の作動部を押し込むことにより、前記霧化エア切り替え弁及び前記塗料オンオフエア切り替え弁が流通した状態とすることを特徴とする請求項３に記載の塗装方法。
【発明の詳細な説明】
【技術分野】
【０００１】
本発明は、塗装装置及び塗装方法に関する。
【背景技術】
【０００２】
自動車車体、家電製品、家具等の工業製品、建物の内壁、外壁、橋梁といった建造物などの被塗装物に塗料を付着させる塗装には、塗料を加圧してノズルから吐出する構成のエアレスの塗装装置及び塗装方法（特許文献１参照）や、ノズルから吐出した塗料を圧縮エアにより霧化して噴射する構成の塗装装置及び塗装方法（特許文献２参照）が広く用いられている。
【０００３】
通常のエア霧化式の塗装装置（エアガン）では、吐出した塗料が被塗装物に付着する効率（塗着効率）は一般に２０〜５０％程度である。また、通常のエアガンは、一つのノズルから多量の塗料を吐出するため、塗料の霧化には大量のエアが必要である。このため、被塗装物に付着しなかった塗料がダストとして多量に発生するという問題があった。
特許文献２に記載のエアースプレイハンドガンでは、一つのノズルから広い範囲に塗料を噴出するため、霧化した後の塗料流に両側からパターンエアを吹き付けて噴出パターンを偏平に広げている。また、霧化エアとパターンエアの流量を調節して塗装効率の改善や平滑な塗膜を得ている。
【０００４】
塗着効率を高くする方法として静電塗装がある。しかし、静電塗装を行うためには、静電気発生器が必要になるため、設備が大掛かりになる。また静電気を使用することによる発火の危険性もある。また、屋外で静電塗装する場合、作業者が地面や床面を通じて接地（アース）されているので、静電気のかかった塗料が人に付着するため、塗着効率が下がる場合がある。
【先行技術文献】
【特許文献】
【０００５】
【特許文献１】特開昭６２−２５４８６０号公報
【特許文献２】特開２００１−１２９４４４号公報
【発明の概要】
【発明が解決しようとする課題】
【０００６】
本発明は、上記事情に鑑みてなされたものであり、塗着効率が高くダストの発生が少ない塗装装置及び塗装方法を提供することを課題とする。
【課題を解決するための手段】
【０００７】
前記課題を解決するため、本発明は、塗料噴射通路及び霧化エア噴射通路を有するノズルを複数備えたノズルヘッドと、前記塗料噴射通路に至る塗料供給系に設けられて前記塗料供給系の塗料の流通及び遮断を切り替える塗料切り替え弁と、前記霧化エア噴射通路に至る霧化エア供給系に設けられて前記霧化エア供給系の霧化エアの流通及び遮断を切り替える霧化エア切り替え弁と、を備え、前記霧化エア切り替え弁が前記霧化エアを流通させる状態では、前記塗料切り替え弁が前記塗料の流通及び遮断を切り替え可能であり、前記塗料切り替え弁が前記塗料を流通させる状態では、前記霧化エア切り替え弁による前記霧化エアの遮断が阻止されることを特徴とする塗装装置を提供する。
【０００８】
本発明の塗装装置においては、前記塗料切り替え弁が塗料オンオフエアの供給及び遮断によって動作可能であり、前記塗料切り替え弁に至る塗料オンオフエア供給系には、前記塗料オンオフエア供給系の前記塗料オンオフエアの流通及び遮断を切り替える塗料オンオフエア切り替え弁が設けられ、前記霧化エア切り替え弁と前記塗料オンオフエア切り替え弁とには、操作部により押し込み可能な共通の作動部が挿入され、前記霧化エア切り替え弁及び前記塗料オンオフエア切り替え弁が遮断された状態で前記共通の作動部を押し込むことにより、前記霧化エア切り替え弁のみが流通した状態となり、さらに前記共通の作動部を押し込むことにより、前記霧化エア切り替え弁及び前記塗料オンオフエア切り替え弁が流通した状態となることが好ましい。
【０００９】
また、本発明は、塗料噴射通路及び霧化エア噴射通路を有するノズルを複数備えたノズルヘッドと、前記塗料噴射通路に至る塗料供給系に設けられて前記塗料供給系の塗料の流通及び遮断を切り替える塗料切り替え弁と、前記霧化エア噴射通路に至る霧化エア供給系に設けられて前記霧化エア供給系の霧化エアの流通及び遮断を切り替える霧化エア切り替え弁と、を備える塗装装置を用い、前記霧化エア切り替え弁が前記霧化エアを流通させる状態では、前記塗料切り替え弁が前記塗料の流通及び遮断を切り替え可能とし、前記塗料切り替え弁が前記塗料を流通させる状態では、前記霧化エア切り替え弁による前記霧化エアの遮断を阻止することを特徴とする塗装方法を提供する。
【００１０】
本発明の塗装方法においては、前記塗料切り替え弁が塗料オンオフエアの供給及び遮断によって動作可能とし、前記塗料切り替え弁に至る塗料オンオフエア供給系には、前記塗料オンオフエア供給系の前記塗料オンオフエアの流通及び遮断を切り替える塗料オンオフエア切り替え弁を設け、前記霧化エア切り替え弁と前記塗料オンオフエア切り替え弁とには、操作部により押し込み可能な共通の作動部を挿入し、前記霧化エア切り替え弁及び前記塗料オンオフエア切り替え弁が遮断された状態で前記共通の作動部を押し込むことにより、前記霧化エア切り替え弁のみが流通した状態とし、さらに前記共通の作動部を押し込むことにより、前記霧化エア切り替え弁及び前記塗料オンオフエア切り替え弁が流通した状態とすることが好ましい。
【発明の効果】
【００１１】
本発明によれば、塗装装置が複数のノズルを有する多ノズル式であるため、１個のノズルからの塗料の吐出量は少なく、少量のエアで霧化できる。これにより、塗着効率を向上し、ダストの発生を抑制することができる。
【図面の簡単な説明】
【００１２】
【図１】本発明の塗装装置の一例を示す部分断面図である。
【図２】図１の塗装装置の正面図である。
【図３】霧化エア切り替え弁及び塗料オンオフエア切り替え弁において、（ａ）は両方のエアが遮断された状態、（ｂ）は霧化エアが流通して塗料オンオフエアが遮断された状態、（ｃ）は両方のエアが流通する状態を示す断面図である。
【図４】ノズルヘッドの（ａ）正面図、（ｂ）縦断面図、（ｃ）横断面図である。
【図５】塗料切り替え弁収容部の（ａ）縦断面図、（ｂ）横断面図である。
【図６】トリガーの（ａ）正面図、（ｂ）側面図である。
【図７】霧化エア切り替え弁及び塗料オンオフエア切り替え弁に使用される共通の作動部の（ａ）正面図、（ｂ）側面図である。
【図８】ガン本体部の（ａ）正面図、（ｂ）側面図である。
【発明を実施するための形態】
【００１３】
以下、好適な実施の形態に基づき、図面を参照して本発明を説明する。
図１及び図２に、本発明の塗装装置の一例を示す。図２はノズルに向かい合った側を示す正面図である。図１は、図２を正面図とするときの右側面図である。図１では、ガン本体部４０の全体及びトリガー５０の一部を断面で表している。
この塗装装置１０は、握り部４２を具備するガン本体部４０上に、複数のノズル２１，２１を備えたノズルヘッド２０が支持され、トリガー５０を操作部としてノズル２１，２１からの霧化エア及び塗料の吐出が制御可能な、ハンドガン型の構成を有する。
【００１４】
図２及び図４（ａ）に示すように、各ノズル２１は、塗料噴射通路２４及び霧化エア噴射通路２７を有する。図示例の場合、塗料噴射通路２４はノズル２１の中心に開口する円形の穴である。また、霧化エア噴射通路２７は、塗料噴射通路２４と同心に設けられた円環状の断面を有する隙間である。複数のノズル２１，２１から吐出される塗料と霧化エアは、各ノズルから略円形のパターンで噴出される。複数の略円形のパターンが重なり合うことにより、パターンエアを使用しなくても、一度の噴射で広い範囲を塗装することができる。
【００１５】
図４（ｃ）に示すように、ノズルヘッド２０は、ノズル２１が形成された面（ノズル形成面２０ａ）とは反対側の面（後面２０ｂ）に開口した塗料導入口２２と、塗料導入口２２から塗料噴射通路２４を接続する塗料流路２３を有する。塗料流路２３は、１つの塗料導入口２２から複数の塗料噴射通路２４，２４に向けて、途中で分岐している。塗料導入口２２から供給された塗料は、塗料流路２３を経て、塗料噴射通路２４，２４から吐出される。
さらに、このノズルヘッド２０は、側面に開口した霧化エア導入口２５，２５と、各ノズル２１，２１の霧化エア噴射通路２７，２７とにつながった、霧化エア室２６を有する。霧化エア導入口２５，２５から供給された霧化エアは、霧化エア室２６内に充填され、霧化エア噴射通路２７，２７に沿って噴出される。
【００１６】
塗料噴射通路２４，２４の周囲の隔壁２８は、円筒状であり、その先端部は霧化エア噴射通路２７内に配置されている。図４（ｂ）及び図４（ｃ）に示すように、塗料噴射通路２４に至る塗料流路２３は、ある程度の長さにわたって直線状に形成されており、塗料の噴出方向を規制する。塗料噴射通路２４，２４から吐出される塗料は、霧化エア噴射通路２７，２７から噴出する霧化エアとの混合により霧化され、被塗装物に付着（塗着）する。図示例では、ノズル２１は、ノズル形成面２０ａから所定の向きに突出し、塗料噴射通路２４及び霧化エア噴射通路２７の開口端がノズル形成面２０ａから離れている。塗料噴射通路２４及び霧化エア噴射通路２７がノズル形成面２０ａ上に開口していてもよい。
【００１７】
図１に示すように、ノズルヘッド２０の後面２０ｂには、塗料切り替え弁収容部３０が連結されている。塗料切り替え弁収容部３０の内部には、図５に示すように、塗料流路３１と、この塗料流路３１における塗料の流通及び遮断を切り替える塗料切り替え弁３２が形成されている。塗料流路３１の入口３１ａは塗料切り替え弁収容部３０の側面に開口する。塗料流路３１の出口３１ｂは、塗料切り替え弁収容部３０がノズルヘッド２０に連結される前面３０ａに開口する。塗料切り替え弁収容部３０をノズルヘッド２０に連結すると、塗料流路３１の出口３１ｂがノズルヘッド２０の塗料導入口２２に整合して、それぞれの塗料流路２３，３１が接続される。
【００１８】
塗料流路３１の入口３１ａは、図１及び図２に示すように、塗装装置１０の外部から塗料が輸送される配管１４に接続されている。塗料供給系１１は、配管１４と、塗料切り替え弁収容部３０内の塗料流路３１（図５参照）と、ノズルヘッド２０内の塗料流路２３（図４参照）を含む。
【００１９】
図５に示すように、塗料切り替え弁３２の弁体３３は、先端部が塗料流路３１に挿入されたステム３３ｃの外周に、第１板部３３ａ及び第２板部３３ｂが形成された構造を有する。第１板部３３ａは塗料オンオフエア室３４に収容され、第２板部３３ｂはバネ収容室３５に収容されている。図５（ｂ）に示すように、塗料オンオフエア室３４には、塗料切り替え弁３２を作動させるための圧縮空気（塗料オンオフエア）が導入される塗料オンオフエア導入口３４ａが形成されている。
【００２０】
塗料切り替え弁３２は、塗料オンオフエアの供給及び遮断によって動作可能である。
塗料オンオフエアを塗料オンオフエア導入口３４ａに吹き込むと、第１板部３３ａが押されて弁体３３が後退（図５の左から右へ移動）し、ステム３３ｃによって塞がれていた塗料流路３１が流通可能となって、塗料がノズルに供給される。
塗料オンオフエアの供給を停止すると、バネ収容室３５に収容されている戻しバネ３６により、第２板部３３ｂが押されて弁体３３が前進（図５の右から左へ移動）し、ステム３３ｃが塗料流路３１を閉塞して、ノズルへの塗料の供給が停止する。
【００２１】
図１に示すように、ノズルヘッド２０は、ガン本体部４０の上部に形成された支持部４１上に固定されている。支持部４１には、トリガー５０（図６参照）の回転軸５４を回動可能に支持する軸受け穴４１ａ（図２、図８参照）が形成されている。
【００２２】
トリガー５０は、図１、図２、図６に示すように、手指をかける操作部５１と、操作部５１の左右両側に設けられた覆い部５２と、操作部５１の上部で支持部４１の左右両側に配される把持部５３を有する。トリガー５０は、図１に示すように、回転軸５４を中心として、矢印Ｒに示すように移動可能である。回転軸５４は、トリガー５０と別に形成したピンを穴に差し込む等の方法で構成してもよい。不使用時のトリガー５０は、戻しバネ４９によって付勢された作動部４７の先端部４７ｄ（詳しくは後述）により、操作部５１の裏側から押圧され、図１の実線に示すように位置している。
【００２３】
ガン本体部４０（図８参照）の下部には、作業者が塗装装置１０を片手で持つことが可能な握り部４２が形成されている。握り部４２の下端には、霧化エア流路４３の入口４３ａと、塗料オンオフエア流路４５の入口４５ａとが開口し、これらの流路４３，４５が握り部４２内を略下から上に向けて設けられている。
【００２４】
握り部４２の上には、霧化エア流路４３における霧化エアの流通及び遮断を切り替える霧化エア切り替え弁４４と、塗料オンオフエア流路４５の塗料オンオフエアの流通及び遮断を切り替える塗料オンオフエア切り替え弁４６とが設けられている。
霧化エア切り替え弁４４及び塗料オンオフエア切り替え弁４６の弁箱部４８には、各弁の弁体４７ａ，４７ｂとなる共通の作動部４７が挿入されている。作動部４７（図７参照）は、棒状のステム４７ｃの外周に、ステム４７ｃより直径の大きい大径部として形成された弁体４７ａ，４７ｂを有する。ステム４７ｃの先端部４７ｄは、図１に示すようにトリガー５０の操作部５１の裏面に接触している。弁体４７ａ，４７ｂのうち、第１弁体４７ａは霧化エア切り替え弁４４に用いられ、第２弁体４７ｂは塗料オンオフエア切り替え弁４６に用いられる。
【００２５】
図１及び図８（ｂ）に示すように、弁箱部４８内のエア流路４８ａ，４８ｂの側部には、出口４３ｂ，４５ｂがガン本体部４０の外面に開口している。霧化エア流路４３，４８ａの出口４３ｂは、塗料オンオフエア流路４５，４８ｂの出口４５ｂよりも前側（ノズル２１の向かう側）に設けられている。
【００２６】
作動部４７は、ステム４７ｃの先端部４７ｄをトリガー５０により押し込むことにより、作動可能である。ステム４７ｃは、第１弁体４７ａよりも先端側で、弁箱部４８の前側に開口した穴４８ｃの中を摺動可能である。ステム４７ｃの後端部４７ｅは、弁箱部４８のバネ収容部４８ｄに収容された戻しバネ４９により付勢されている。
図１でトリガー５０が実線により示す位置にあるときは、ステム４７ｃの先端部４７ｄが最も前側に突出しており、霧化エア切り替え弁４４及び塗料オンオフエア切り替え弁４６においてエア流路４８ａ，４８ｂは弁体４７ａ，４７ｂにより閉塞されている（図３（ａ）参照）。この状態では、霧化エア及び塗料オンオフエアの両方が遮断されている。
【００２７】
トリガー５０が握り部４２に近づくように操作して、作動部４７を押し込むと、弁体４７ａ，４７ｂが後退（図３の左から右へ移動）する。図３（ｂ）に示す程度に押し込むと、霧化エア切り替え弁４４において、第１弁体４７ａによって塞がれていた霧化エア流路４３，４８ａの出口４３ｂが開き、霧化エア流路４３，４８ａが流通可能となる。霧化エアは、出口４３ｂから配管１５を経てノズルヘッド２０（図４参照）に供給される。この状態では、霧化エアが流通して塗料オンオフエアが遮断されている。
本実施形態では、塗料切り替え弁が棒状の弁部材の先端で塗料流路を閉塞するニードル弁ではなく、棒状の弁部材（ステム）の側面で塗料オンオフエア流路を閉塞する構成であり、トリガー５０の操作に連動してステム４７ｃが後退しても塗料オンオフエアが遮断される。このため、塗料を遮断したままステムが移動可能となる遊動間隔が大きく、エア量不足で塗料が吐出されることを確実に防止できる。
【００２８】
さらに作動部４７を押し込むと、図３（ｃ）に示すように、さらに弁体４７ａ，４７ｂが後退し、塗料オンオフエア切り替え弁４６において、第２弁体４７ｂによって塞がれていた塗料オンオフエア流路４５，４８ｂの出口４５ｂが開き、塗料オンオフエア流路４５，４８ｂが流通可能となって、塗料オンオフエアが配管１６を経て塗料切り替え弁３２（図５参照）に供給される。この状態では、霧化エア及び塗料オンオフエアの両方が流通可能になっている。
【００２９】
トリガー５０の押し込みを停止すると、弁箱部４８に収容されている戻しバネ４９により、作動部４７が押されて弁体４７ａ，４７ｂが前進（図３の右から左へ移動）し、弁体４７ａ，４７ｂがエア流路の出口４３ｂ，４５ｂを閉塞して、塗料切り替え弁３２への塗料オンオフエアの供給が停止し（図３（ｂ）参照）、さらにはノズルヘッド２０への霧化エアの供給が停止する（図３（ａ）参照）。これにより、塗料切り替え弁３２の遮断後にも霧化エアが供給されてノズル内の塗料が放出され、塗料の残存が防止される。
【００３０】
図１に示すように、霧化エア供給系１２は、ガン本体部４０内の霧化エア流路４３，４８ａと、ガン本体部４０からノズルヘッド２０の間を接続する配管１５と、ノズルヘッド２０内の霧化エア室２６を含み、ノズル２１の霧化エア噴射通路２７（図４（ｃ）参照）に至る。配管１５は、ガン本体部４０の霧化エア流路４３，４８ａの出口４３ｂと、ノズルヘッド２０の霧化エア導入口２５との間を接続している。
【００３１】
塗料オンオフエア供給系１３は、ガン本体部４０内の塗料オンオフエア流路４５，４８ｂと、ガン本体部４０から塗料切り替え弁収容部３０の間を接続する配管１６と、塗料切り替え弁収容部３０内の塗料オンオフエア室３４（図５（ｂ）参照）を含み、塗料切り替え弁３２に至る。配管１６は、ガン本体部４０内の塗料オンオフエア流路４５，４８ｂの出口４５ｂと、塗料切り替え弁収容部３０の塗料オンオフエア導入口３４ａとの間を接続している。
【００３２】
図１〜８に示す、本実施形態の塗装装置１０によれば、霧化エア切り替え弁４４が霧化エアを流通させる状態において、塗料切り替え弁３２が塗料の流通及び遮断を切り替え可能である。つまり、図３（ｂ）に示すように、霧化エアが流通して塗料オンオフエアが遮断されている状態と、図３（ｃ）に示すように、霧化エア及び塗料オンオフエアの両方が流通可能になっている状態とを切り替えることにより、前者の状態ではノズル２１から塗料を吐出せずに霧化エアを噴出させることができ、後者の状態ではノズル２１から塗料と霧化エアを合わせて噴出させることができる。
【００３３】
また、塗料切り替え弁３２が塗料を流通させている状態では、霧化エア切り替え弁４４により霧化エアの遮断が阻止される。ノズルに霧化エアが供給されないまま塗料のみを吐出する状態となることが防止される。
塗装装置１０が複数のノズル２１，２１を有する多ノズル式であるため、１個のノズルからの塗料の吐出量は少なく、少量のエアで霧化できる。これにより、塗着効率を向上し、ダストの発生を抑制することができる。
【００３４】
本実施形態の塗装装置１０は、霧化エア切り替え弁４４及び塗料オンオフエア切り替え弁４６が遮断された状態で作動部４７を押し込むことにより、まずは霧化エア切り替え弁４４のみが流通した状態となり、さらに作動部４７を押し込むことにより、霧化エア切り替え弁４４及び塗料オンオフエア切り替え弁４６が流通した状態となる。
塗料供給系１１は、ガン本体部４０の上部に取り付けられるノズルヘッド２０及び塗料切り替え弁収容部３０に設けられる。ガン本体部４０の内部には、塗料供給系１１が設けられず、エアのみが供給されるので、ガン本体部４０の内部が汚染しにくく、メンテナンスが容易である。塗料供給系１１の内部を洗浄する方法としては、塗装装置１０を使用前又は使用後に、有機溶剤などの洗浄剤を流通させる方法が挙げられる。
【００３５】
以上、本発明を好適な実施の形態に基づいて説明してきたが、本発明は上述の実施形態に限定されるものではなく、本発明の要旨を逸脱しない範囲で種々の改変が可能である。
ノズルヘッド及び塗料切り替え弁収容部は、ガン本体部から取り外し可能としてもよい。この場合、取り外したノズルヘッド及び塗料切り替え弁収容部を、洗浄剤に接触させて洗浄することができる。
【００３６】
ノズルの個数は、図示例では２個であるが、３個以上とすることもできる。また、正面図で、複数のノズルを横１列に配置してもよく、縦１列に配置してもよく、２列以上に配置してもよい。
【符号の説明】
【００３７】
１０…塗装装置、１１…塗料供給系、１２…霧化エア供給系、１３…塗料オンオフエア供給系、２０…ノズルヘッド、２１…ノズル、２４…塗料噴射通路、２７…霧化エア噴射通路、３０…塗料切り替え弁収容部、３２…塗料切り替え弁、４０…ガン本体部、４２…握り部、４４…霧化エア切り替え弁、４６…塗料オンオフエア切り替え弁、４７…共通の作動部、５０…トリガー、５１…操作部。
【図１】
2014233649.tif 000003
【図２】
2014233649.tif 000004
【図３】
2014233649.tif 000005
【図４】
2014233649.tif 000006
【図５】
2014233649.tif 000007
【図６】
2014233649.tif 000008
【図７】
2014233649.tif 000009
【図８】
2014233649.tif 000010